(57)【要約】      （修正有）【課題】通気性断熱複合パネルでコンクリート外壁を被覆したコンクリート造建物に於いて、複合パネル内を上昇する空気流の放出を保証すると共に、屋上防水層を固定するように、強固に固定施工することができる笠木金具を提供する。【解決手段】笠木４は、前端の立下り板４Ｆと、屋上側へ雨水を流すための天端傾斜板４Ｔと、天端傾斜板４Ｔと取付孔を備えた下段水平板４Ｄとを連続する傾斜辺４Ｐとを、各接続面を曲面とすると共に、天端傾斜板４Ｔの前端下面には係合溝を配置しておき、複合パネル１の上端に固定したブラケット５の係合溝との係止で笠木前端を支持し、笠木後部の下段水平板４Ｄを屋上防水層９の上面に載置してねじＮ９で笠木４の後部を屋上コンクリート層に固定して、笠木４を前後２点支持する。【選択図】図１
0003153492.tif 000002
【実用新案登録請求の範囲】
【請求項１】
断熱層（２Ｃ）と外装下地材（２Ａ）とを、間隔配置した縦桟（２Ｂ）で層着一体化して、各縦桟（２Ｂ）間を通気層（Ｇ）とした通気性断熱複合パネル（１）でコンクリート外壁（Ｗ）を被覆したコンクリート造建物であって、外壁上端では、立下り片（５Ｐ）の、上端からは上段傾斜片（５Ｔ）を前方へ、下端からは取付孔（Ｈ５）を備えた下段水平片（５Ｄ）を後方へ延出したブラケット（５）を、縦桟（２Ｂ）上端に適宜間隔で固定し、前端の立下り板（４Ｆ）と、後方に緩傾斜する天端傾斜板（４Ｔ）と、天端傾斜板（４Ｔ）から傾斜辺（４Ｐ）を介して後方に延出した取付孔（Ｈ４）を有する下段水平板（４Ｄ）とを備え、且つ天端傾斜板（４Ｔ）の前端下面に係合溝（４Ｇ）を形成した笠木（４）を、前端を係合溝（４Ｇ）でブラケット上段傾斜片（５Ｔ）に係止し、下段水平板（４Ｄ）を、コンクリート外壁（Ｗ）の上面を被覆した防水層（９）上に載置して、ねじ（Ｎ９）でコンクリート外壁（Ｗ）に固定し、断熱複合パネル（１）の通気層（Ｇ）からの空気流（ａ）を、笠木（４）の立下り板（４Ｆ）と外壁表面（Ｗｆ）の間隔（Ｓ）から放出する外断熱コンクリート建物の外壁上端の通気構造。
【請求項２】
外壁上端では、断熱複合パネル（１）が、断熱層上端内側の切欠け（ＣＰ）を備えてコンクリート外壁（Ｗ）と一体化し、各ブラケット（５）は、縦桟（２Ｂ）上で、通気層（Ｇ）に干渉しない形態で固定している、請求項１に記載の外壁上端の通気構造。
【請求項３】
ブラケット（５）は、前後方向の長孔の取付孔（Ｈ５）を介して、縦桟（２Ｂ）にねじ（Ｎ５）で、笠木（４）は、前後方向の長孔の取付孔（Ｈ４）を介して、コンクリート外壁（Ｗ）にねじ（Ｎ９）で、且つ、ブラケットの上段傾斜片（５Ｔ）の先端（ｆＴ）と笠木立下り板（４Ｆ）の内面とに、隙間（ＳＧ）を保って、固定した、請求項１又は２に記載の外壁上端の通気構造。
【請求項４】
笠木（４）は、アルミ押出成形板であって、立下り板（４Ｆ）と天端傾斜板（４Ｔ）との接続部（Ｒｆ）、天端傾斜板（４Ｔ）と傾斜辺（４Ｐ）との接続部（Ｒｍ）及び傾斜辺（４Ｐ）と下段水平板（４Ｄ）との接続部（Ｒｂ）が曲面接続であり、下端に、前方へ傾斜降下する斜片（４Ｓ）と後方への突出片（４Ｃ´）とを備えた立下り板（４Ｆ）を、外壁表面（Ｗｆ）と１９〜２２mmの間隔（Ｓ）を保つ形態に配置した、請求項１、又は２、又は３に記載の外壁上端の通気構造。
【請求項５】
笠木（４）とブラケット（５）とを含み、笠木（４）は、断面形状で、後方に緩傾斜する天端傾斜板（４Ｔ）と、前端からの立下り板（４Ｆ）とを連設すると共に、天端傾斜板（４Ｔ）の後端から下降傾斜辺（４Ｐ）を介して後方に、取付孔（Ｈ４）を備えた下板水平板（４Ｄ）を延出し、立下り板（４Ｆ）の上部には、天端傾斜板（４Ｔ）と整合傾斜する傾斜突出片（４Ｃ）を後方に突出して、天端傾斜板（４Ｔ）の前端下面に係合溝（４Ｇ）を形成し、ブラケット（５）は、立下り片（５Ｐ）の上端からは、前方に、笠木（４）の天端傾斜板（４Ｔ）と整合傾斜する上段傾斜片（５Ｔ）を、立下り片（５Ｐ）の下端からは、後方に、取付孔（Ｈ５）を備えた下段水平片（５Ｄ）を延出したものである笠木金具。
【請求項６】
天端傾斜板（４Ｔ）の、前端での立下り板（４Ｆ）との接続部（Ｒｆ）、後端での傾斜辺（４Ｐ）との接続部（Ｒｍ）及び、傾斜辺（４Ｐ）下端と下段水平板（４Ｄ）との接続部（Ｒｂ）が曲面であり、立下り板（４Ｆ）の下端には、前方に傾斜突出した先端が刃先形態の斜片（４Ｓ）と、後方に水平突出した突出片（４Ｃ´）を備えた請求項５に記載の笠木金具。
【請求項７】
笠木の下段水平板（４Ｄ）の取付孔（Ｈ４）が前後方向の長孔であって、各取付孔（Ｈ４）が前後に千鳥足形態の間隔配置であり、ブラケットの取付孔（Ｈ５）も、前後方向の長孔である、請求項５又は６に記載の笠木金具。
【考案の詳細な説明】
【技術分野】
【０００１】
本考案は、コンクリート造の外断熱建物に於ける外壁上端の通気構造に関するものであり、より詳しくは、通気層を備えた外壁の、上端への笠木の取付構造、及び使用する笠木金物に関するものであり、建築の技術分野に属するものである。
【背景技術】
【０００２】
従来よりコンクリート建物の外壁の頂部には、外壁頂部と屋上部の見切りとして、また、屋上部の防水層の端部押えとして、各種笠木が適用されており、コンクリート造建物の外断熱通気性外壁に対し、通気性断熱複合パネルで外壁を被覆し、外壁上端に、笠木金具を通気構造で配置する技術は、特許文献１で挙げた、特開２００４−６０３３５号公報に開示されている。
即ち、特開２００４−６０３３５号公報に開示の技術は、本考案の出願人が提案し、特許第３６６４６９７号として特許されたものであり、現時点では、コンクリート造建物の外断熱外壁上端の笠木金具での通気構造として、業界で実施されているものである。
【０００３】
図３は、特許文献１に開示された従来例の説明図であって、図３（Ａ）は笠木の斜視図、図３（Ｂ）は、外壁上端へ笠木金具を配置した通気構造の縦断側面図である。
従来例の笠木金具は、図３（Ｂ）に示す如く、上段水平片と垂直片と下段水平片とから成る屈曲形態のブラケットを、セメント板と発泡プラスチックの断熱層とを積層した通気性断熱複合パネル上端のセメント板上にねじ固定し、該笠木ブラケットを介して笠木を断熱複合パネル上端に配置固定するものである。
【０００４】
即ち、従来例の、笠木による通気構造は、図３（Ａ）に示す如く、天端水平板と、前端の立下り板と、天端水平板後部から立上り片を介して連設した下段水平板を備え、立下り板の下端には前方へ傾斜降下する斜片と、後方に水平延出する突片を備え、且つ、天端水平板の下面前端に係合溝を備えた笠木を、図３（Ｂ）に示す如く、断熱層の上端面には固定用の板材を配置しておき、天端水平板の下面前端の係合溝を笠木ブラケットの上段水平片前端に係止し、下段水平板を断熱層上の板材にねじ固定して笠木を前後２点支持し、屋上断熱層上に張設した防水層の先端を立上り片に当接して防水層先端と立上り片とをシーリング充填している。
【先行技術文献】
【特許文献】
【０００５】
【特許文献１】特開２００４−６０３３５号公報
【考案の概要】
【考案が解決しようとする課題】
【０００６】
従来の笠木（図３）は、立下り板下端の前方に傾斜降下して突出する斜片が雨水の廻り込みを阻止するが、天端水平板は水平で、前後端が垂直なので、天端水平板上の雨水は、天端水平板上で滞留して一気に落下し、外壁面を汚染したり、漏水を生じたりする。
また、天端水平板の後端のシーリング部では、耐用中の笠木の日射熱による変位によって、シーリングに亀裂隙間を生じ、屋上空気流の衝突作用を受けて、雨水の亀裂からの浸入や毛細管現象によって、防水層下面への廻り込みを生じる怖れがある。
また、屋上防水層も、日射熱による伸長、及び冷却による収縮により、笠木立上り板との衝合当接部に変位を生じ、シーリングの亀裂作用を助長する。
従って、天端水平板と屋上防水層との隙間に充填したシーリングは、施工技術を要する作業であるが、防水機能を維持するために、頻繁なメンテナンス補修が必要である。
【０００７】
また、従来例（図３）の笠木は、通気性断熱複合パネルで被覆した外壁の上端に、好適に通気構造が付与出来る有利な笠木ではあるが、下段水平板の複合パネル上端への取付けは、断熱層上面に、ねじ止着に必要な強度及び厚さを備えた固定用の板材を配置する必要があり、板材を確保する発泡プラスチックの断熱層は強度が小であるため、笠木が強固で煽られると変位を生じ、笠木金具の剥離すら生ずる怖れがあり、笠木金具の部分剥離、又は笠木取付ねじの緩み等で屋上防水層に重大な損傷を招くことがある。
本考案は、従来例の、上述の問題点を合理的に解決出来る、新規な外壁上端の通気構造、及び好適に採用出来る笠木金具の提供を目的とするものである。
【課題を解決するための手段】
【０００８】
本考案の外壁上端の通気構造は、例えば図２（Ｃ）の如く、断熱層２Ｃと外装下地材２Ａとを、間隔配置した縦桟２Ｂで層着一体化して、各縦桟２Ｂ間を通気層Ｇとした通気性断熱複合パネル１で、図１の如く、コンクリート外壁Ｗを被覆したコンクリート造建物であって、外壁上端では、立下り片５Ｐの、上端からは上段傾斜片５Ｔを前方へ、下端からは取付孔Ｈ５を備えた下段水平片５Ｄを後方へ延出したブラケット５を、縦桟２Ｂ上端に適宜間隔で固定し、前端の立下り板４Ｆと、後方に緩傾斜する天端傾斜板４Ｔと、天端傾斜板４Ｔから傾斜辺４Ｐを介して後方に延出した取付孔Ｈ４を有する下段水平板４Ｄとを備え、且つ天端傾斜板４Ｔの前端下面に係合溝４Ｇを形成した笠木４を、前端を係合溝４Ｇでブラケット上段傾斜片５Ｔに係止し、下段水平板４Ｄを、コンクリート外壁Ｗの上面を被覆した防水層９上に載置して、ねじＮ９でコンクリート外壁Ｗに固定し、断熱複合パネル１の通気層Ｇからの空気流ａを、笠木４の立下り板４Ｆと外壁表面Ｗｆの間隔Ｓから放出可能としたものである。
【０００９】
この場合、標準タイプの断熱複合パネルは、厚さ７５mm、幅９１０mm、高さ２７００mmの発泡プラスチック系断熱板（ＪＩＳＡ９５１１）と、外装下地材２Ａとして、厚さ１３mm、幅９１０mm、高さ２６９５mmの、両面ガラス繊維混入、火山礫サンドアッシュフェノール樹脂板の、岩倉化学工業（株）製のオーマルＹＢ−Ｒ（商品名）を、通気層形成用の縦桟２Ｂとして、外装下地材２Ａと同材質で、厚さ１５mm、幅５０mm、高さ２７００mmの細長板の５本を用い、断熱板の両端及び中間３本に、５本を間隔配置して、接着剤＋釘打ちで一体化層着し、各縦桟２Ｂ間に、大間隔の通気層Ｇを形成したものである。
また、笠木４の天端傾斜板４Ｔは、板上の雨水を後方、即ち屋上側、に流すための緩傾斜であって、標準サイズでは、幅７４．５mmで１０mm勾配である。
また、笠木４を係止するブラケット５の上段傾斜片は、笠木天端傾斜板４Ｔと整合する傾斜角が好ましい。
【００１０】
従って、本考案の、外壁上端の通気構造にあっては、笠木４は、前端のブラケット５による係止と、下段水平板４Ｄのコンクリート外壁Ｗ上面への強固なねじ固定による２点支持であり、その上、屋上に固定した下段水平板４Ｄと天端傾斜板４Ｔ間を傾斜辺（標準：４５°傾斜）が連続しているため、傾斜辺が、屋上からの空気流ａｒの作用を受ければ、笠木４への押圧力ａｐの作用を生じ、風の影響が抑制出来て、例え、風に煽られても、変位破損の抑制された強固な支持となる。
しかも、屋上の防水層９の端縁部を、下段水平板４Ｄが被覆した形態での支持となるため、従来例（図３）の如き、防水層９と笠木との隙間を充填するシーリングが不要となって、従来の笠木と屋上防水層との、防水シーリングで派生する問題は解決出来る。
【００１１】
また、笠木の天端傾斜板４Ｔが後方へ、即ち屋上側へ、緩傾斜しているため、笠木４上の雨水は、笠木上面で水溜りに生長することなく、屋上側へ順次流下し、笠木から外方への、即ち外壁表面側への、雨水の流下が抑制出来て、外壁表面Ｗｆに対する雨水による汚損、或いは雨水による外壁表面Ｗｆ側からの外壁被覆パネル内への漏水浸入も抑制出来る。
勿論、複合パネル１の通気層Ｇからのドラフト上昇空気流ａは、本考案出願人が開発し、業界で実施中の従来例（図３）同様に、ブラケット５の立下り片５Ｐによるスペース確保によって、支障無く笠木立下り板４Ｆと外壁面Ｗｆとの間隔Ｓから外方へ放出する。
【００１２】
また、外壁上端の通気構造の発明にあっては、図１に示す如く、断熱複合パネル１が、断熱層上端内側の切欠けＣＰを備えてコンクリート外壁Ｗと一体化し、各ブラケット５は、縦桟２Ｂ上で、通気層Ｇに干渉しない形態で固定するのが好ましい。
【００１３】
この場合、断熱層上端の切欠けＣＰは、屋上パラペットのコンクリートが廻り込んで断熱層２Ｃの上端後部を屋上パラペットコンクリートと一体化し、笠木４の固定を担保するためのものであるため、切欠けＣＰの幅ＴＰは、断熱層幅ＴＣ（標準:７５mm）の半幅で、高さｈｐは５０mmとすれば良い。
また、縦桟２Ｂの幅は、標準５０mmであるため、ブラケット５の左右方向長さＬ５が５０mmを越えなければ、ブラケット５が、通気層Ｇ上に張出さないように、即ち通気層Ｇに干渉しないように、配置出来る
【００１４】
従って、本考案の外壁上端の通気構造は、笠木４の下段水平板の、後方への延出寸法（標準：６３．５mm）が大きくなくても、笠木４の後部のねじ固定が、屋上コンクリート部、即ちパラペットコンクリート部に強固に固定出来、笠木４の幅Ｗ４（標準１５０mm）を大寸化しなくとも、屋上コンクリート部へのねじ固定が可能となり、従来（図３）の如く、複合パネル上面に、笠木固定用の手段（固定用板材の付設）の施工が不要となり、しかも、笠木の固定は、従来の笠木より強固となる。
そして、笠木取付用のブラケット５も、通気層Ｇ上に張出さない形態であるため、笠木４は、複合パネル１の通気機能を担保し、且つ、前後２点支持での強固な取付けとなる。
【００１５】
また、ブラケット５は、前後方向の長孔の取付孔Ｈ５を介して、縦桟２ＢにねじＮ５で、笠木４は、前後方向の長孔の取付孔Ｈ４を介して、コンクリート外壁ＷにねじＮ９で、且つ、ブラケットの上段傾斜片５Ｔの先端ｆＴと笠木立下り板４Ｆの内面とに、隙間ＳＧを保って固定するのが好ましい。
この場合、ブラケットの上段傾斜片５Ｔの傾斜勾配は天端傾斜板４Ｔの傾斜勾配と整合させておけば良い。
【００１６】
コンクリート屋上に配置する慣用の防水層９は、年間を通じて、暑さ、寒さにより若干伸縮するため、従来（図３）の笠木にあっては、夏季に、防水層が伸長して防水層の先端が笠木立上り片に衝突し、防水層には、下段水平板の手前で皺が生じて防水層に亀裂やコンクリート上面からの剥離、等の損傷を招き、冬季に、防水層が収縮して笠木立上り片と防水層先端とに隙間が生じ、シーリングを損傷して、耐用中に、雨水の防水層下面への浸入を招く事態が生じた。
【００１７】
しかし、本考案の笠木の配置構造にあっては、ブラケット５の取付孔Ｈ５も、笠木取付孔Ｈ４も、共に前後方向の長孔であるため、そして、ブラケット５と笠木４とは、上段傾斜片５Ｔの係合溝４Ｇへの嵌合であるため、夏季に、防水層９が伸長したら、防水層９を抑止する笠木下段水平板４ＤのねじＮ９で防水層９が破断して防水層の先端が前方に移動し、笠木４自体も前方に移動し、冬季には、防水層９は、夏季と反対の収縮変位挙動を生じるが、笠木４の、防水層の伸縮に伴なう、若干の前後変位は、ブラケット上段傾斜片５Ｔの先端ｆＴと笠木立下り板４Ｆ内面との隙間ＳＧが吸収し、耐用中に、防水層９には、笠木４との接続部近傍に、皺の発生や亀裂の発生が抑制出来、防水層９の先端部のねじＮ９による小寸の破損も、笠木下段水平板４Ｄの下面部位のみであるため、防水層９の屋上防水層としての機能は損なわれない。
【００１８】
尚、笠木４の、防水層９の変位に伴なう変位が、例え隙間ＳＧ（標準：３mm）以上となっても、ブラケット５も前後方向の長孔Ｈ５による固定であるため、ブラケット５の固定ねじＮ５に対する前後変位で吸収出来る。
従って、本考案の外壁上端の通気構造は、慣用のコンクリート屋上防水層９の夏季、冬季の伸縮変位にも対応出来て、外見上も、機能上も、耐久性のある通気構造を提供する。
【００１９】
また、本考案の外壁上端の通気構造にあっては、笠木４は、図２（Ａ）に示す如く、アルミ押出成形の長尺物（標準：３６４０mm）であって、立下り板４Ｆと天端傾斜板４Ｔとの接続部Ｒｆ、天端傾斜板４Ｔと傾斜辺４Ｐとの接続部Ｒｍ及び傾斜辺４Ｐと下段水平板４Ｄとの接続部Ｒｂが曲面接続であり、下端に前方へ傾斜降下する斜片４Ｓと、後方への突出片４Ｃ´とを備えた立下り板４Ｆを、外壁表面Ｗｆと１９〜２２mmの間隔Ｓを保つ形態に配置するのが好ましい。
【００２０】
この場合、各接続部Ｒｆ，Ｒｍ，Ｒｂは、流水を蛇行させて集中流下を回避するためであり、典型的には、曲率半径５mmの曲面である。
また、傾斜辺４Ｐは天端傾斜板４Ｔから下段水平板４Ｄ上へと、流水を平滑に流下させ、且つ、屋上風の笠木上面への作用を、笠木４に対する押圧作用として、笠木４の風雨による変位影響を抑制するものであって、典型的には４５°傾斜で、天端傾斜板４Ｔと下段水平板４Ｄ間に１２mmの段差を付与するものである。
また、立下り板４Ｆは、強風時等に、天端傾斜板４Ｔ上の雨水が立下り板４Ｆ側から落下する場合に、立下り板下端の水切点に到達した雨水を、流下水を連続到達させたくない面、即ち外壁表面Ｗｆ、に連続形態で放水させないためのものである。
【００２１】
また、水切り寸法、即ち立下り板表面と外壁表面Ｗｆとの間隔Ｓは、実験データから、外壁表面汚損の最も影響の大な流量、１２〜２４Ｌ／ｍ、分にあっては２２mm必要であるが、降雨時の、殆どの場合が、１２Ｌ／ｍ、分以下であること、及び天端傾斜板４Ｔと立下り板４Ｆとの接続部Ｒｆが曲面であって、流下水は集中回避で流下させられること、及び立下り板４Ｆの下端には前方へ傾斜降下する斜片（標準長：７mm）を備えていること、及び天端傾斜板４Ｔ上の雨水は屋上側へ流下する傾向であること、等より、現実的には、間隔Ｓは１９mmでも、流下水の、立下り板４Ｆ下端から外壁表面Ｗｆへの、連続流形態での伝達が阻止出来る。
【００２２】
従って、本考案の笠木構造にあっては、笠木天端傾斜板４Ｔ上の雨水は、笠木天端傾斜板４Ｔが、水を平均拡散して流すアルミ板であること、屋上側へ流下させるために緩傾斜（標準：７４．５mm幅で勾配１０mm）していること、笠木４の表面の各接続部、Ｒｆ，Ｒｍ，Ｒｂが曲面で流水の集中を回避していること、及び立下り板４Ｆと外壁表面Ｗｆとの間隔Ｓが１９〜２２mmで、笠木上面から立下り板４Ｆ側に逆流した流水も、外壁表面Ｗｆへの連続流水とならないこと、等により、風雨による笠木４上の流水は、好適に、屋上側に平均拡散形態で流下出来、例え強風を伴なった雨水が天端傾斜板４Ｔから立下り板４Ｆへ逆送されて立下り板４Ｆを流下しても、外壁表面Ｗｆに対する雨水の連続形態到達が阻止出来て、外壁に対する雨水汚損、及び雨水浸入は最小限に抑制出来る。
【００２３】
本考案の笠木金具は、請求項１に記載の考案に使用するものであって、笠木４とブラケット５とを含み、笠木４は、図２（Ａ）に示す如く、断面形状で、後方に緩傾斜する天端傾斜板４Ｔと、前端からの立下り板４Ｆとを連設すると共に、天端傾斜板４Ｔの後端から下降傾斜辺４Ｐを介して後方に、取付孔Ｈ４を備えた下板水平板４Ｄを延出し、立下り板４Ｆの上部には、天端傾斜板４Ｔと整合傾斜する傾斜突出片４Ｃを後方に突出して、天端傾斜板４Ｔの前端下面に係合溝４Ｇを形成し、ブラケット５は、立下り片５Ｐの上端からは、前方に、笠木４の天端傾斜板４Ｔと整合傾斜する上段傾斜片５Ｔを、立下り片５Ｐの下端からは、後方に、取付孔Ｈ５を備えた下段水平片５Ｄを延出したものである。
【００２４】
この場合、笠木４は長尺物（標準：３６４０mm）であり、表面が水を平準拡散形態で流下出来るアルミ板製が好適であり、アルミ金属の押出成形品として準備すれば良く、天端傾斜板４Ｔの緩傾斜は、上面の雨水を、通常の風雨時にも、屋上側、即ち下段水平板４Ｄ側、に流下出来れば良い。
また、笠木４の幅は、立下り板４Ｆが外壁表面Ｗｆより小寸（標準：１９〜２２mm）前方突出形態で、コンクリート壁Ｗを被覆する断熱複合パネル厚（標準厚：１０５mm）＋外装材３厚をカバーし、且つ屋上防水層９の端部を押圧形態で屋上コンクリート層にねじ固定出来れば良く、典型的には、笠木は、幅Ｗ４が１５０mm、天端傾斜板４Ｔの幅ＷＴが７４．５mmで１０mm勾配を備え、下段水平板４Ｄの幅ＷＤが６３．５mmで、傾斜辺４Ｐは４５°傾斜で段差ｈ４´が１２mmの、一般肉厚１．５mmのアルミ押出成形品である。
【００２５】
また、笠木立下り板４Ｆの下端には、前方に傾斜突出する小寸（標準：７mm）の斜片４Ｓを配置すれば、立下り板４Ｆを伝わって流下する雨水を、より前方位置から落下させるので、斜片４Ｓの配置は好ましく、この場合、斜片４Ｓの先端が厚み（板厚）を備えておれば、小水滴は保持して大水滴に成長した後に落下させるので、斜片４Ｓは、図２（Ｂ）の如く、断面刃先形態とするのが特に好ましく、刃先形態の斜片４Ｓは、先端が流下水を滞留させることなく、少量水の形態で落下させるので、外壁表面Ｗｆへの流下水による汚損、外壁内部への流水等の悪影響が抑制出来る。
【００２６】
また、ブラケット５は、通気性断熱複合パネル１の上端に止着して、笠木４を通気構造に保持するものであり、長さＬ５が複合パネル１の通気層に張出さない形態で止着出来れば良く、立下り片５Ｐの高さｈ５は、笠木天端傾斜板４Ｔの下面と複合パネル１の上端との間に、複合パネル１内を上昇する空気流ａが抵抗無く放出出来るスペースを確保すれば良く、上段傾斜片５Ｔは、笠木天端傾斜板４Ｔの下面を摺動当接支持するために、天端傾斜板４Ｔと整合する傾斜とすれば良く、典型的には、ブラケット５は、図２（Ｃ）の如く、長さＬ５が５０mm、立下り片５Ｐの高さｈ５が３０mm、下段水平片５Ｄの幅Ｗ５が３０mm、上段傾斜片５Ｔの幅Ｗ５´が２８mmで、一般肉厚２mmのアルミ押出成形品である。
【００２７】
従って、該笠木金具は、通気層形成用の縦桟２Ｂを適宜間隔に介在して、断熱層２Ｃと外装下地材２Ａとを一体化した通気性断熱複合パネル１によってコンクリート外壁Ｗを被覆した外断熱外壁の上端に、図１に示す如く、ブラケット５の下段水平片５Ｄを複合パネル１の上端の縦桟２Ｂ上端に取付孔Ｈ５でねじ固定すれば、笠木４の天端傾斜板４Ｔの下面前端の係合溝４Ｇをブラケット上段傾斜片５Ｔと平滑摺動作用でスムーズに係止出来、笠木下段水平板４Ｄを取付孔Ｈ４を介して、屋上防水層９上に載置して固定することにより、請求項１の考案が好適に実施出来る。
【００２８】
また、笠木は、図２（Ａ）に示す如く、天端傾斜板４Ｔの、前端での立下り板４Ｆとの接続部Ｒｆ、後端での傾斜辺４Ｐとの接続部Ｒｍ及び、傾斜辺４Ｐ下端と下段水平板４Ｄとの接続部Ｒｂが曲面であり、立下り板４Ｆの下端には、前方に傾斜突出した先端が刃先形態の斜片４Ｓと、後方に水平突出した突出片４Ｃ´を備えているのが好ましい。
【００２９】
この場合、笠木４の各接続部Ｒｆ，Ｒｍ，Ｒｂは、笠木４の上面の雨水が集中することなく、蛇行形態で分散平均して流れるためであり、各接続部の曲面は、曲率半径４〜６mm（標準：５mm）で配置すれば良い。
また、刃先形態の斜片４Ｓは、立下り板４Ｆを流下する水を成るべく外壁面Ｗｆから離れた位置で水切り良く落下させるためであり、後方への水平突出片４Ｃ´は、立下り板４Ｆの下端の補強リブ機能と、斜片４Ｓの下面からの雨水上昇を阻止するためであり、典型的には、斜片４Ｓは、角度４５°で７mm突出であり、突出片４Ｃ´は５mm突出である。
【００３０】
従って、該笠木は、通気性断熱複合パネル１でコンクリート外壁Ｗを被覆した外断熱外壁の上端に適用すれば、笠木４上に降る雨水は、通常の風雨であっても、天端傾斜板４Ｔの上面に雨溜りを形成することなく、雨水を蛇行させて集中流の発生を回避して、平滑に屋上側に排除出来、天端傾斜板４Ｔ上を、風力で立下り板４Ｆ側に逆行流下する雨水も、集中を回避した、分散小水量形態で立下り板４Ｆ表面を流下し、水切り機能の良好な刃先形態の斜片４Ｓによって外壁表面Ｗｆから離れる放水となり、外壁表面Ｗｆに対する流下水汚染や、外壁内部への漏水の抑制された笠木手段を提供する。
【００３１】
また、笠木金具の考案にあっては、図２（Ａ），（Ｃ）に示す如く、笠木の下段水平板４Ｄの取付孔Ｈ４が前後方向の長孔であって、各取付孔Ｈ４が前後に千鳥足形態の間隔配置であり、ブラケットの取付孔Ｈ５も、前後方向の長孔であるのが好ましい。
この場合、千鳥足形態とは、図２（Ａ）に示す如く、下段水平板４Ｄ上に配置した各取付孔Ｈ４が、下段水平板４Ｄの長さに沿って、後側、前側、後側・・・と、交互のジグザグ形態を意味する。
【００３２】
従って、該笠木金具は、コンクリート外壁を被覆する複合パネル１の上端への配置施工に際し、ブラケット５も笠木４も、共に前後位置調整の下に固定出来、通気性複合パネル１の厚さの変化にも、複合パネル１の外面に張設する外装材３の厚さ変化による笠木立下り板４Ｆの外壁表面Ｗｆ、即ち外装材表面に対する必要間隔Ｓ（標準：１９〜２２mm）確保にも対応出来る。
しかも、耐用中の、屋上防水層９の伸縮の影響による笠木４及びブラケット５の、前後移動すら長孔Ｈ４，Ｈ５が吸収し、笠木金具の外壁上端に対する取付固定部の亀裂等の損傷が抑制出来る。
【考案の効果】
【００３３】
本考案の、外壁上端の通気構造にあっては、笠木４は、前端のブラケット５による係止と、下段水平板４Ｄのコンクリート外壁上端への強固なねじ固定との前後２点支持となり、しかも天端傾斜板４Ｔと下段水平板４Ｄを傾斜辺４Ｐが連続していて、屋上の風圧力が、傾斜辺４Ｐを介して笠木４の上面に押圧力ａｐを付与するため、笠木は、風力による変位破損の抑制された強固な支持となる。
【００３４】
また、屋上の防水層９の端縁部は、笠木の下段水平板４Ｄが被覆押圧した形態となるため、屋上防水層９と笠木との接続部には、従来例（図３）の如きシーリングが不要となり、屋上防水層９の夏季、冬季での伸縮変位による防水機能損傷は抑制出来る。
また、笠木は、天端傾斜板４Ｔが、後方へ、即ち屋上側へ、緩傾斜しているため、笠木４上の雨水は、水溜りに生長することなく、屋上側へ順次流下し、笠木上面から外方への、即ち外壁面側への、雨水の流下が抑制出来て、雨水の、外壁表面Ｗｆに対する汚損、及び外壁内部への浸水が抑制出来る。
【００３５】
また、笠木４の、天端傾斜板４Ｔと立下り板４Ｆとの接続部Ｒｆ、天端傾斜板４Ｔと傾斜辺４Ｐとの接続部Ｒｍ、及び傾斜辺４Ｐと下段水平板４Ｄとの接続部Ｒｂを全て曲面連続とすれば、笠木４の上面の雨水は、水溜りとなることなく、流水も集中することなく、笠木上面を蛇行し、平準化分散して平滑に流下する。
そして、立下り板４Ｆの下端に前方へ傾斜降下する刃先形態の斜片４Ｓを配置することにより、天端傾斜板４Ｔから、例え、立下り板４Ｆに雨水が流下しても、雨水は水切れの良い斜片４Ｓから外方へ落下し、雨水の外壁表面Ｗｆへの汚損、及び外壁内（複合パネル内）への浸入が抑制出来る。
【図面の簡単な説明】
【００３６】
【図１】本考案の実施状態の縦断側面図である。
【図２】本考案の笠木金具の説明図であって、（Ａ）は笠木の斜視図、（Ｂ）は（Ａ）のＢ部の拡大側面図、（Ｃ）は笠木用ブラケットの載置状態斜視図である。
【図３】従来例の説明図であって、（Ａ）は笠木の斜視図、（Ｂ）は笠木配置状態の縦断側面図である。
【考案を実施するための形態】
【００３７】
〔笠木（図２（Ａ））〕
笠木４は、図１に示す如く、外壁の上端に、ブラケット５を用いて配置するもので、外壁の上端の見切りとして配置し、屋上防水層９の端縁部を抑え、最上端の複合パネル１の通気層Ｇへの雨水の浸入を阻止すると共に、パネル１内の上昇空気流ａの上端から外部への放出を保証するものであり、且つ、笠木上の雨水は、外壁表面の汚染及び外壁内への浸入を抑制して平滑に処理するものであり、図２（Ａ）は、笠木４の斜視図、図２（Ｂ）は図２（Ａ）のＢ部の拡大側面図である。
【００３８】
笠木４は、一般肉厚１．５mmのアルミ押出成形品であり、断面形態は、図２（Ａ）に示す如く、天端傾斜板４Ｔの幅ＷＴが７４．５mmで１０mm勾配であり、下段水平板４Ｄの幅ＷＤが６３．５mmで、天端傾斜板４Ｔと下段水平板４Ｄとは４５°の傾斜辺４Ｐで段差ｈ４´が１２mmに接続し、天端傾斜板４Ｔの前端からは、下端に、前方へ４５°で降下する７mm長の斜片４Ｓと後方への５mmの突出片を備えた、高さｈ４が４５mmの立下り板を備えたものである。
【００３９】
そして、立下り板４Ｆの上部から後方に、天端傾斜板４Ｔと整合する角度で幅１０mmの突出片４Ｃを突設して、天端傾斜板４Ｔの下面前端に厚さ２．５mmの係合溝４Ｇを配置したものである。
また、天端傾斜板４Ｔと立下り板４Ｆとの接続部Ｒｆ、天端傾斜板４Ｔと傾斜辺４Ｐとの接続部、及び傾斜辺４Ｐと下段水平板４Ｄとの接続部は、曲率半径５mmの曲面とし、立下り板４Ｆ下端の斜片４Ｓは、図２（Ｂ）に示す如く、断面形態を刃先状としたものである。
また、下段水平板４Ｄには、幅４mm、長さ１０mmの前後方向長孔Ｈ４を、３００mm間隔で、笠木４の長手方向に、交互に前後するジグザグ形態に、即ち、千鳥足形態に穿孔しておく。
【００４０】
〔ブラケット（図２（Ｃ））〕
ブラケット５は、図２（Ｃ）に示す如く、断面形態が、高さｈ５が３０mmの立下り片５Ｐと、立下り片５Ｐの上端から前方に幅（Ｗ５´）が２８mmで、天端傾斜板４Ｔと整合する傾斜角で突出する上段傾斜片５Ｔと、立下り片５Ｐ下端から後方に幅（Ｗ５）が３０mmで突出する下段水平片５Ｄを備えたものであり、一般肉厚２mmのアルミ押出成形品の長尺物を長さ（Ｌ５）が５０mmに裁断し、下段水平片５Ｄには、径１２mm、長さ２０mmの、幅方向にも長さ方向にも寸法ゆとりのある前後方向長孔Ｈ５の各２個を、長手方向の両端近傍に穿孔したものである。
【００４１】
〔外壁構造（図１）〕
本考案の笠木金具を配置する外壁は、図１に示す如く、厚さＴＣが７５mmの発泡プラスチック断熱層２Ｃと、厚さＴＡが１３mmのフェノール樹脂板（岩倉化学工業（株）製、商品名：オーマルＹＢ−Ｒ）の外装下地材２Ａを、厚さＴＢが１５mm、幅５０mmのフェノール樹脂板の縦桟２Ｂを、通気層形成縦桟として縦方向に間隔介在して、接着剤と釘とで一体化した通気性複合パネル１で、コンクリート外壁Ｗを捨型枠手法で被覆一体化したものである。
【００４２】
そして、最上階の複合パネル１のみは、予め断熱層２Ｃの上端内部に、幅（ＴＰ）が断熱層２Ｃの幅ＴＣの１／２寸法、高さ（ｈｐ）が５０mmの切欠けＣＰを全幅に亘って配置し、コンクリート躯体のコンクリート打設によって、最上階の複合パネル１の上端の切欠けＣＰには、コンクリート外壁Ｗのコンクリートを廻り込ませて、複合パネル１をコンクリート外壁Ｗと一体化したものである。
そして、図１に示す如く、最下階（１階）の複合パネル１の下端から最上階複合パネル１の上端まで、複合パネル１の縦桟２Ｂ間に形成した通気層Ｇをドラフト空気流ａが貫流するものである。
また、慣用の手法で、屋上防水層９を、端縁が複合パネル１の切欠けＣＰのコンクリート上に至る形態に屋上コンクリート表面に張設する。
【００４３】
〔笠木金具の配置（図１）〕
複合パネル１を張着した外壁には、需要者の選定した外装材３を張設して完成外壁とし、次いで、笠木４取付用のブラケット５を、下段水平片５Ｄの長孔Ｈ５を介してねじＮ５で縦桟２Ｂ上面に固定する。
この場合、上段傾斜片５Ｔの先端ｆＴを笠木４の係合溝４Ｇに、最奥部に隙間ＳＧ（標準：３mm）を形成した形態で嵌入して、笠木立下り板４Ｆと外装材３表面、即ち外壁表面Ｗｆと間隔Ｓ（標準：２２mm）が保持出来る位置に、長孔Ｈ５で前後調整して、複合パネル１枚（標準幅：９１０mm）当り２個のブラケット５を等間隔配置する。
尚、ブラケット５は縦桟２Ｂの上面から通気層Ｇ上に張出さないように固定する。
【００４４】
次いで、笠木４を、立下り板４Ｆと外装材３表面とが所定間隔Ｓ（標準:２２mm）を保つ形態に計測して、係合溝４Ｇをブラケット５の上段傾斜片５Ｔに、上段傾斜片５Ｔの先端ｆＴが係合溝４Ｇの最奥部に隙間ＳＧを保つ状態に係止して、屋上防水層９の端部上面に載置形態の下段水平板４Ｄに、長孔Ｈ４の中央部からねじＮ９を、防水層９を貫通して下側のコンクリート層に打設固定する。
【００４５】
得られた外壁上端の通気構造にあっては、複合パネル１の、各縦桟２Ｂ間の厚さ１５mmの通気層Ｇからの上昇空気流ａは、図１に示す如く、各ブラケット５間から上昇して、ブラケット立下り片５Ｐ（高さ３０mm）で担保された天端傾斜板４Ｔ下面とのスペースから、笠木立下り板５Ｆと外装材３表面、即ち外壁表面Ｗｆとの間隔Ｓを経由して外方に放出される。
そして、図１に示す如く、屋上の空気流（風）ａｒは、笠木４の薄板（厚さ：１．５mm）の下段水平板４Ｄが屋上防水層９に押圧密着しているため、従来例（図３）の如き、笠木剥離作用を生ずることなく、むしろ笠木傾斜辺４Ｐに対する押圧力ａｐを付与し、笠木４は、前後２点支持形態と相俟って、耐風力の優れた、強固で変形損傷の怖れの無い取付構造となる。
【００４６】
そして、笠木上の雨水も、天端傾斜板４Ｔから傾斜辺４Ｐ及び下段水平板４Ｄへと、曲面による平滑な分散蛇行排水となり、例え雨水が、天端傾斜板４Ｔから外壁側へ逆行して流下しても、流下雨水は、立下り板下端の水切り作用に優れた刃先状斜片４Ｓでの外方への放出作用と、立下り板４Ｆと外壁表面Ｗｆとの２２mmの間隔Ｓとの存在によって、外壁の下方部への、あたかも通常の降雨状態での雨水影響となり、外壁表面Ｗｆへの雨水汚染及び外壁内部への雨水浸入の抑制された雨水となる。
【符号の説明】
【００４７】
１        断熱複合パネル（複合パネル）
２Ａ      外装下地材
２Ｂ      縦桟
２Ｃ      断熱層
３        外装材
４        笠木
４Ｃ，４Ｃ´  突出片
４Ｄ      下段水平板
４Ｆ      立下り板
４Ｇ      係合溝
４Ｐ      傾斜辺
４Ｓ      斜片
４Ｔ      天端傾斜板
５        ブラケット
５Ｄ      下段水平片
５Ｐ      立下り片
５Ｔ      上段傾斜片
９        屋上防水層（防水層）
ａ        空気流（上昇空気流）
ａｒ      屋上空気流（風）
ａｐ      押圧力
ＣＰ      切欠け
Ｇ        通気層
Ｎ５，Ｎ９    ねじ
Ｈ４，Ｈ５    取付孔（長孔）
Ｓ        間隔
ＳＧ      隙間
Ｒｆ，Ｒｍ，Ｒｂ    接続部
Ｗ        コンクリート外壁
Ｗｆ      外壁表面
【図１】
0003153492.tif 000003
【図２】
0003153492.tif 000004
【図３】
0003153492.tif 000005